【事件の表示】
　特許第２５３３４３９号「識別コ−ド紙」の特許に対する特許異議の申立てについて、次のとおり決定する。
【結論】
　訂正を認める。
　特許第２５３３４３９号の特許を維持する。
【理由】
Ｉ．手続きの経緯
　本件特許第２５３３４３９号発明は、昭和６２年７月１１日に特許出願された特願昭６２−１７３３５２号の一部を平成６年６月２４日に分割出願され、平成８年６月２７日にその特許権の設定登録がなされ、その後、株式会社デンソー、及び塚村敏生より特許異議の申立がなされ、取消理由通知がなされ、その後指定期間内である平成１０年７月２７日に訂正請求がなされた。これに対して、訂正拒絶理由を通知したところ、平成１１年３月２９日付で訂正請求書の補正がなされた。
ＩＩ．訂正の適否
１．補正の適否
　本補正は、訂正明細書の特許請求の範囲における一部の構成要件をより具体的に特定することにより、不明瞭な点を明瞭にすると共に、発明の詳細な説明中の不明瞭な点を明瞭にするものであり、特許法第１２０条の４第３項において準用する同法第１３１条第２項の規定に適合するので当該補正を認める。
２．訂正の内容
（１）訂正事項ａ
　特許請求の範囲中の「Ｘ軸基線１と、該Ｘ軸基線１の一端に連続するＹ軸基線２とを設け、Ｘ軸基線１およびＹ軸基線２を二辺とする四角形により区画される範囲の表示エリヤを有し、前記表示エリヤ外へ、Ｘ軸基線１にＸ軸基線１１を、Ｙ軸基線２にＹ軸基線１２をそれぞれ連続して、Ｘ軸基線１、Ｙ軸基線２、Ｘ軸基線１１およびＹ軸基線１２によりその位置および範囲が規制される補助表示エリヤを形成して、表示エリヤに隣接させた補助表示エリヤを有し、前記補助表示エリヤに位置して、Ｘ軸基線１とＹ軸基線２との交点０に対する対角位置に記録した補助エリヤマーク５Ａを有し、
表示エリヤｂおよび補助表示エリヤｄの位置および範囲を、Ｘ軸基線１、Ｘ軸基線１１、Ｙ軸基線２、Ｙ軸基線１２および補助マーク５Ａにより規制した」を
「Ｘ軸基線と該Ｘ軸基線の一端である原点にその一端が連続するＹ軸基線とを設け、前記Ｘ軸基線と前記Ｙ軸基線を二辺とする直角四辺形により前記表示エリヤの範囲の範囲を区画し、
　前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けた」に訂正する。
（２）訂正事項ｂ
　明細書の段落番号【０００３】（特許公報第３列３７行）中の「ＪＩＣ」を「ＪＩＳ」に訂正する。
（３）訂正事項ｃ
　明細書の段落番号【０００４】の【問題点を解決するための手段】の項の内容を「本発明は、Ｘ軸基線と該Ｘ軸基線の一端である原点にその一端が連続するＹ軸基線とを設け、前記Ｘ軸基線と前記Ｙ軸基線を二辺とする直角四辺形により前記表示エリヤの範囲を区画し、前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする。」に訂正する。
（４）訂正事項ｄ
　明細書の段落番号【０００７】の内容を「更に、図５に示すごとく、Ｘ軸基線１の他端に延長Ｘ軸基線１１およびＹ軸基線２の他端に延長Ｙ軸基線１２を付加して、前記Ｘ軸基線１と前記延長Ｘ軸基線１１および前記Ｙ軸基線２と前記延長Ｙ軸基線１２を二辺として形成される外方直角四辺形において、前記Ｘ軸基線と前記Ｙ軸基線を二辺とする内方の直角四辺形における前記Ｘ軸基線１に対向する辺および前記Ｙ軸基線２に対向する辺の二辺と、前記外方直角四辺形の前記Ｘ軸基線１１および前記延長Ｘ軸基線１２に対向する辺と前記Ｙ軸基線１および前記延長Ｙ軸基線１２に対向する辺の二辺とで補助表示エリヤｄの範囲を区画する。該補助表示エリヤｄに補助マーク５を記録表示する。なお、補助マーク５は正方形に限定されるものではなく、○、☆、＋、−その他その存在が識別できるものであればよい（図４参照）。図５を参照して、前記補助表示エリヤｄにおける原点の対角位置に補助マーク５Ａを記録表示する。更に、補助表示エリヤｄに記録表示する補助マーク５として、前記補助マーク５Ａの左側および／または下方に読取方向識別用の補助マーク５Ｂを記録表示する。
　図５に実線表示の補助マーク５Ａを参照して、本願発明は、補助マーク５Ａを、前記原点の対角位置で内方の前記直角四辺形の外方に、前記延長Ｘ軸基線１１の長さに近似し且つ前記延長Ｘ軸基線１１と対向する辺と前記延長Ｙ軸基線１２の長さに近似し且つ前記延長Ｙ軸基線１２と対向する辺とを隣接二辺とする直角四辺形状で記録している。従って、図５を参照して、延長Ｘ軸基線１１は補助マーク５ＡのＸ軸方向の長さに、延長Ｙ軸基線１１は補助マーク５ＡのＹ軸方向の長さに、それぞれ近い寸法である。
　図５を参照して、補助マーク５Ａの周囲には空白部が存在することで、補助表示エリヤｄの範囲は、補助マーク５Ａの外縁および外縁延長線よりも僅かに拡大することとなる。即ち、表示エリヤｂ＋補助表示エリヤｄの位置・範囲は、Ｘ軸基線１、延長Ｘ軸基線１１、Ｙ軸基線２、延長Ｙ軸基線１２に加えて補助マーク５Ａの周囲に基づいて確定されるが、補助マーク５Ａの周囲に存在する空白部分に対応して、上記の包囲範囲よりも僅かに拡大している。また、図６に示すごとく、Ｘ軸基線１、Ｙ軸基線２の他に、横区分線６および縦区分線７を印刷表示しておくと、マイコンプリンターで印刷しないで、適宜の筆記具で各単位データエリア３を塗りつぶすか、丸印等をマーク表示することにより、識別コード紙の貼付使用現場で信号コードを決定することができて好都合である。」に訂正する。
（５）訂正事項ｅ
　明細書の段落番号【００１１】中の「Ｘ軸基線１１」、「Ｙ軸基線１２」及び「補助エリヤマーク５Ａ」をそれぞれ「延長Ｘ軸基線１１」、「延長Ｙ軸基線１２」及び「補助マーク５Ａ」に訂正すると共に、「本発明においては、原点０に対する対角位置以外に、補助エリヤマーク５Ａが存在することで、補助エリヤマーク５Ａを検出し、」（特許公報第７欄第４４〜４６行目）を「本発明においては、画像処理の過程において原点に対する対角位置以外に、補助マーク５Ａが現れることにより上記の不一致を認識することができる。すなわち、」に訂正する。
（６）訂正事項ｆ
　明細書中の段落【００１２】の内容を「以上の理由により、本発明においては、Ｘ軸基線１およびＹ軸基線２を読取ることで、コンピューターでの演算処理でセンサーの読取り方向を判断できるので、線センサーの読み取り方向は上下左右のいずれの方向でもよい。すなわち、Ｘ軸基線１、延長Ｘ軸基線１１、Ｙ軸基線２、延長Ｙ軸基線１２に加えて補助マーク５Ａで表示エリヤｂを包囲したことにより、直角四辺形の表示エリヤｂの各辺および各コーナーは、画像処理の過程において、Ｘ軸基線１、Ｙ軸基線２、補助表示エリヤｄ、Ｘ軸基線１とＹ軸基線２との連続点である原点および原点と対角位置にある補助マーク５Ａの位置・範囲によりコンピューターでの演算処理で特定できることで、パソコンによるセンサー読取り方向の判断処理が容易となる。つまりセンサーを誤った方向から読ませてもパソコン処理で正確な判読が可能であり（一般にバーコードの場合４５゜以上の基準読み取り方向がずれると読めないといわれている）、被読取物に貼りつけて読取る場合で、例えばコンベア上にその被読取物が流れてきたとすると、その貼りつけ方向や被読取物の方向に関係なく（正規の貼りつけ方向とずれたり、センサーとの相対位置が不正であっても）正確な判読が可能である。」に訂正する。
（７）訂正事項ｇ
　明細書中の段落【００１３】を「識別コード紙としては、普通紙を使用することができる。即ち、バーコードの場合は線の伸縮により読取り誤差を生じるおそれがあるので高価な特殊用紙を用いる必要があるが、識別コード紙の場合は表示エリヤの各単位データエリアの２進信号コードの有無を検出すればよいものであるから、通常紙に印刷、プリントアウトすることで十分である。また、コードごとにその大きさ（物理的寸法）が違っても表示エリアの位置・範囲を特定したのちに表示エリア内の２進信号コード情報を読み取るため、何等問題なく読み取ることが可能となる。更に、紙以外のプラスチックフイルム、商品容器等へも印刷可能であり、また、印刷された紙、フイルム等に透明磁気インキを用いて記録する等の方法で、通常の印刷表示に重ねて記録することもできる。」に訂正する。
（８）訂正事項ｈ
　明細書の段落【００１４】中における「すぐ対応でき」（特許公報第８欄第３５行）とある記載を「にはすぐ対応でき」に訂正する。
（９）訂正事項ｉ
　明細書の段落【００１６】の【発明の効果】の項の記載を「本発明は、補助表示エリヤｄ内で、Ｘ軸基線１とＹ軸基線２とを連続する原点に対する対角位置かつ表示エリアｂの外方に位置して補助マーク５Ａを設けたことで、Ｘ軸基線１＋延長Ｘ軸基線１１、Ｙ軸基線２＋延長Ｙ軸基線１２による隣接する二辺の特定と補助マーク５Ａにより原点に対する対角位置にある角部の特定で、外方直角四辺形（表示エリヤｂ＋補助表示エリヤｄ）の位置、範囲を検出することができる。即ち、Ｘ軸基線１、Ｙ軸基線２、補助表示エリヤｄにより包囲される直角四辺形（正方形、長方形）である表示エリヤｂの存在位置および範囲を明確に限定でき、識別コード紙よりの読取りデータの入力範囲を前記外方直角四辺形（表示エリヤｂ＋補助表示エリヤｄ）に限定することで、より効果的にデータ処理を行いデータ読取処理時間を短縮できる。
　更に、外方直角四辺形内の補助表示エリヤｄにおける原点に対する対角位置に形成した所定の辺長さを有する直角四辺形状の補助マーク５Ａにより、補助表示エリヤｄの範囲が特定できるので、外方直角四辺形より補助表示エリヤｄを除外して内方の直角四辺形（表示エリヤｂ）の範囲を正確に特定できる。従って、表示エリヤｂの範囲を正確に検出することで読取りエラー率の低減をはかるとともにコンピューターのメモリ容量を低減できる。
　また、外方直角四辺形（表示エリヤｂ＋補助表示エリヤｄ）の各辺および各コーナーは、Ｘ軸基線１＋延長Ｘ軸基線１１、Ｙ軸基線２＋延長Ｙ軸基線１２、Ｘ軸基線１とＹ軸基線２との連続点である原点、および原点に対する対角位置にある補助マーク５Ａにより、それぞれの特徴を検出して画像処理の過程において識別できるので、任意の方向でのセンサーの読取りに対し、より正確、迅速に且つ簡単なマイコン処理で表示エリヤｂの各周辺の位置および上下左右方向を判断でき、識別コード紙の貼付け作業にあたり貼付け方向を考慮する必要のない効果がある。」に訂正する。
３．訂正の目的の適否、新規事項の有無及び拡張・変更の存否
　訂正事項ａは、図中に用いられている参照符号を利用した表現を改めると共に、特許請求の範囲中の、「Ｘ軸基線１と、該Ｘ軸基線１の一端に連続するＹ軸基線２とを設け、・・・四角形により区画される範囲の表示エリヤｂを有し、」（特許公報第１欄第６〜８行目）を「Ｘ軸基線と該Ｘ軸基線の一端である原点にその一端が連続するＹ軸基線とを設け、前記Ｘ軸基線と前記Ｙ軸基線を二辺とする直角四辺形により前記表示エリヤの範囲を区画し、」と訂正することにより、原点においてＸ軸基線とＹ軸基線とが連続していることを明確にすると共に、当該発明の前提部分における表示エリヤの形状と範囲に関する点を明確にするものであり、また、「前記表示エリヤの外へ、・・・補助エリヤマーク５Ａにより規制した」（特許公報第１欄第９行〜第２欄第５行目）を「前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される捕助表示エリヤを前記表示エリヤに隣接して設けた」と訂正することにより、補助マークの形状及びその辺と延長軸基線との関係を明確にし以て補助表示エリヤの範囲を明確にするものであり、特許請求の範囲の減縮、明瞭でない記載の釈明に該当するものである。
　訂正事項ｂは誤記の訂正である。
　訂正事項ｃ、ｄ、ｅ、ｆ、ｉは、特許請求の範囲の訂正に伴って明瞭でなくなった事項を明瞭にした訂正であり、明瞭でない記載の釈明に該当するものである。
　訂正事項ｇ、ｈは、明瞭でない記載の釈明に該当するものである。
　また、上記ａ〜ｉの各訂正事項は、願書に添付した明細書又は図面に記載された範囲内においてなされたものであり、実質的に特許請求の範囲を拡張又は変更するものでもない。
４．独立特許要件について
（１）本件特許発明
　　本件特許発明は、訂正された明細書及び図面の記載からみて、その特許請求の範囲に記載された次のとおりのものと認める。
「四角形状の表示エリヤに、Ｎ個（Ｎ≧８）の単位データエリアを形成し、各単位データエリアに２値信号マークを記録して表示エリヤ全体で２Ｎ個の情報を記録する識別コード紙において、
　Ｘ軸基線と該Ｘ軸基線の一端である原点にその一端が連続するＹ軸基線とを設け、前記Ｘ軸基線と前記Ｙ軸基線を二辺とする直角四辺形により前記表示エリヤの範囲を区画し、
　前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする識別コード紙。」
（２）取消理由通知（第２回）の概要
　当審で通知した取消理由（第２回）の概要は、次のとおりである。
理由１：本件特許の出願は不適法な分割出願であり、特許法第４４条第２項の規定による出願日の遡及は認められないとし、特許明細書における特許請求の範囲の請求項１、２に係る発明は、特開昭６４−８６２８９号公報、特開昭６４−７６１７６号公報、特開平４−１８２７９０号公報に記載されたそれぞれの発明に基づいて当業者が容易に発明することができたものであり、本件請求項１、２に係る発明の特許は、特許法第２９条第２項の規定に違反してされたものである。そして、本件特許の出願が不適法な分割出願である理由としては、「本件特許の出願は、特願昭６２−１７３３５２号を原出願とする分割出願として出願している。しかし、前記原出願の出願当初の明細書又は図面には、▲１▼延長Ｘ軸基線（１１）および延長Ｙ軸基線（１２）を付加して、補助表示エリアを設定すること。▲２▼補助表示エリアの適所（Ｘ軸基線とＹ軸基線の０点に対し対角位置）に読取方向識別用の補助マークを記録すること。▲３▼Ｘ軸基線（１）およびＹ軸基線（２）の読取りにより、センサーの読取方向を判断すること。についての記載はあるものの、「表示エリアｂおよび補助表示エリアｄの位置および範囲を、Ｘ軸基線（１）、Ｘ軸基線（１１）、Ｙ軸基線（２）、Ｙ軸基線（１２）および補助エリアマーク（５Ａ）により規制すること」、「補助表示エリアに、補助エリアマーク５Ａに加えて、読取方向識別用の補助マーク５Ｂを記録すること」、「補助マークが補助エリアマークと読取方向識別用マークの２種類からなっている」等の事項を示す記載は無く、その示唆さえもない。」というものである。
理由２：本件発明の特許は、明細書および図面（平成７年５月１７日付手続補正書および平成８年１月２４付手続補正書により補正され、その後特許第２５３３４３９号として特許公報に掲載されたもの。）における記載不備を看過し、特許法第３６条第４、５項の規定に違反してなされたものである。
（３）本件特許の出願日について
　本件特許出願の原出願である特願昭６２−１７３３５２号に添付された明細書及び図面には、第３発明の実施例として図５に、表示エリヤｂの外側で表示原点０の対角位置に黒く塗りつぶされた直角四辺形状の補助マーク（５）、補助マーク（５）の辺の長さに近似しＸ軸基線（１）の先端部に連接された延長Ｘ軸基線（１１）と補助マーク（５）の辺の長さに近似しＹ軸基線（２）の先端部に連接された延長Ｙ軸基線（１２）、及び補助マーク（５）の２辺とＸ、Ｙ各延長軸基線（１１，１２）とでその範囲が区画されること示唆する２点鎖線がそれぞれ描かれ、補助マーク（５）の各辺、延長Ｘ軸基線（１１）、延長Ｙ軸基線（１２）、及上記２点鎖線で囲まれた部分を補助表示エリヤ（ｄ）としたものが開示されている。
　したがって、特許請求の範囲に記載された訂正後の本件特許発明は、上記原出願の出願時の明細書および図面にも開示されていたものであるから、本件特許の出願は適法な分割出願と認められ、その出願日は原出願の出願日である昭和６２年７月１１日に遡及する。
（４）取消理由通知について
　上記取消理由通知における理由１は、当該訂正請求により訂正された本件特許の出願が分割出願の要件を満たしていることから、同取消理由に引用した上記文献はいずれも非公知文献となるため、同取消理由は解消した。また、同取消理由通知における理由２も当該訂正により解消している。
５．訂正の適否についての結論
　以上のとおりであるから、上記訂正請求は、特許法第１２０条の４第２項の規定及び同条第３項で準用する第１２６条第２項〜第４項の規定に適合するので、当該訂正を認める。
ＩＩＩ．特許異議申立について
１．申立理由の概要
＜異議申立人　株式会社デンソー＞
　異議申立人は、証拠として甲１第号証（特開昭６０−２７０８８号公報）（以下、「刊行物１」という。）、甲第２号証（特開昭６４−８６２８９号公報）を提出し、概ね以下のように主張している。
（主張１）
　請求項１に係る発明は、甲第１号証に開示された発明であるから特許法第２９条第１項に該当し、その特許は特許法第１１３条第２号の規定により取り消されるべきものである。
（主張２）
　請求項１に係る発明は、甲第１号証に記載された発明に基づいて当業者が容易に発明をすることができたものであるから特許法第２９条第２項の規定に該当し、その特許は特許法第１１３条第２号の規定により取り消されるべきものである。
（主張３）
　本件出願は、原出願中に包含されていない事項を新たな特許出願としたものであるから不適法な分割出願であり、出願日は遡及しないので、甲第２号証により進歩性がなく特許法第２９条第２項の規定に該当し、その特許は特許法第１１３条第２号の規定により取り消されるべきものである。
＜異議申立人　塚村敏生＞
　異議申立人は、証拠として甲１第号証（実願昭５５−８８３７１号（実開昭５７−１４２６３号）のマイクロフィルム）（以下、「刊行物２」という。）、甲第２号証（実願昭５７−１９７４３４号（実開昭５９−１０４２７号）のマイクロフィルム（以下、「刊行物３」という。）、甲第３号証（米国特許第３，６３２，９９５号明細書）（以下「刊行物４」という。）を提出し、請求項１、２に係る各発明は、甲第１号証、甲第２号証、甲第３号証によってその進歩性は否定されるべき旨主張している。
２．刊行物に記載された発明
・刊行物１（特開昭６０−２７０８８号公報）
刊行物１には、白と黒の画素とを２進情報の“１”，“０”に応じて所定の順序で行方向に記録し、その行方向の記録が終了すると列方向に再び行方向に２進情報の記録がなされる２進情報記録領域（Ｃ）と、これら２進情報記録領域（Ｃ）の両側にその行が奇数番目の行であるか偶数番目の行であるかに応じた順序で白、黒の記録画素の記録が列方向方向になされる行指示領域（Ｂ）と、前記２進情報記録領域（Ｃ）及び行指示領域（Ｂ）の周囲に、前記２進情報記録領域を識別するための画素数により黒又は白の一方記録画素により記録がなされる枠領域（Ａ）とを有している記録担体に関する発明が記載されている。
・　刊行物２（実願昭５５−８８３７１号のマイクロフィルム）
　刊行物２には、表示内容の光学的読み取りが可能であって人が直接表示内容を読み取ることができる物品識別用基布であって、シートやフィルム基材（１）の一面に、縦方向、横方向の枠線（４，５）を分割し５×ｎ個のマーク記入枠（６）を有する直角四辺形のコード表示枠（２）と、コード表示枠（２）の前記直角四辺形の隣接する２辺を延長しコード表示枠（２）を内含する直角四辺形の数値表示枠（３）とを印刷し、数値表示枠（３）内の余白部（角部）にはローマ字等により他の識別符号（９３）を表示することにより他の管理データとして利用するようにした物品識別基布に関する発明が図と共に記載されている。
・刊行物３（実願昭５７−１９７４３４号のマイクロフィルム）
　刊行物３には、光学的に読み取り可能な制御データを記入するマークカードにおいて、読み取り方向の先頭部のエリヤに記録密度データ（Ｄ１）、中間部のエリヤに制御データ（ＭＣ）、後端角部に前後検出マーク（Ｍａ）を記入するようになっているマークカードに関する発明が第２図と共に記載されている。
・刊行物４（米国特許第３，６３２，９９５号明細書）
　刊行物４には、光学走査可能であり、人間によって読むことができ、また、コンピュータ入力に供し得るクーポンであって、行１、列１に黒四角（５４、５４ａ）が一つ飛びに配置され、行２〜１０、列２〜１０に９×１０個のマーク記録領域を有する直角四辺形状のデータ記録領域（１０４）と、データ記録領域（１０４）の外側で、行１、列２の小四角および行１０、列１０の小四角にそれぞれ隣接して配置されたスタートバー６０およびエンドバー５８ａとを有し、黒四角（５４，５４ａ）、スタートバ（６０）、エンドバー（５８ａ）により、方向や表裏を問わずデータ記録領域（１０４）についてのＸ座標、Ｙ座標を特定するようにした発明が図１２と共に記載されている。
３．当審の判断
（１）株式会社　デンソーの異議申立について
　本件特許発明と甲第１号証（特開昭６０−２７０８８号）に記載のものとを対比すると、甲第１号証には、本件発明の構成要件である「表示エリヤの外側で、かつＸ軸基線の一端である原点に対し、その対角位置に所定の辺長さを有する直角四辺形状の補助マークを設けるとともに、前記Ｘ軸基線の他端に前記補助マークの辺に近似する長さの延長Ｘ軸基線を、Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けた」という事項が記載されていない。
　そして、本件発明は、この構成要件を具備することによって、「Ｘ軸基線１＋延長Ｘ軸基線１１、Ｙ軸基線２＋延長Ｙ軸基線１２による隣接する二辺の特定と補助マーク５Ａにより原点に対する対角位置にある角部の特定で、外方直角四辺形（表示エリヤｂ＋補助表示エリヤｄ）の位置、範囲を検出することができる。即ち、Ｘ軸基線１、Ｙ軸基線２、補助表示エリヤｄにより包囲される直角四辺形（正方形、長方形）である表示エリヤｂの存在位置および範囲を明確に限定でき、識別コード紙よりの読取りデータの入力範囲を前記外方直角四辺形（表示エリヤｂ＋補助表示エリヤｄ）に限定することで、より効果的にデータ処理を行いデータ読取処理時間を短縮できる。
　更に、外方直角四辺形内の補助表示エリヤｄにおける原点に対する対角位置に形成した所定の辺長さを有する直角四辺形状の補助マーク５Ａにより、補助表示エリヤｄの範囲が特定できるので、外方直角四辺形より補助表示エリヤｄを除外して内方の直角四辺形（表示エリヤｂ）の範囲を正確に特定できる。従って、表示エリヤｂの範囲を正確に検出することで読取りエラー率の低減をはかるとともにコンピューターのメモリ容量を低減できる。」という明細書に記載のとおりの格別な効果を奏するものである。
　したがって、本件特許発明が、甲第１号証に記載された発明と同一であるとすることはできず、同号証に記載された発明に基づいて当業者が容易に発明をすることができたものとすることもできないので、特許異議申立人の上記主張１、２は採用できない。
　また、訂正後の本件特許の出願は、上記ＩＩ４．（３）において述べたように、分割出願の要件を満たしているので、異議申立人の上記主張３は採用できない。
（２）塚村敏生の異議申立について
　本件特許発明と刊行物２、３、４に記載のものとを対比すると、これらの刊行物には、いずれも本件発明の上記構成要件についての記載がなく示唆もない。
　そして、本件特許発明は、この構成要件を具備することによって、格別の効果を奏することは上述したとおりである。
　してみると、本件特許発明は、上記刊行物２、３、４に記載のものに基づいて当業者が容易に発明をすることができたものとすることはできない。また、本件の請求項２は上記訂正請求により削除された。
　したがって、特許異議申立人の上記主張は採用できない。
３．むすび
　以上のとおりであるから、特許異議申立の理由及び証拠によっては本件発明１及び本件発明２に係る発明の特許を取り消すことはできない。
　また、他に上記発明に係る特許を取り消すべき理由を発見しない。
　よって、結論のとおり決定する。
【異議決定日】
平成１１年５月３１日（１９９９．５．３１）
【訂正の要旨】
（３）訂正の要旨［訂正事項］
▲１▼訂正事項ａ
　明細書中、【特許請求の範囲】を訂正【特許請求の範囲】（第１項を訂正、第２項を削除）に訂正する。
　訂正【特許請求の範囲】
　四角形状の表示エリヤに、Ｎ個（Ｎ≧８）の単位データエリアを形成し、各単位データエリアに２値信号マークを記録して表示エリヤ全体で２Ｎ個の情報を記録する識別コード紙において、
　Ｘ軸基線と該Ｘ軸基線の一端
である原点にその一端が
前記
前記
直角
辺
前記表示エリヤの範囲を区画し、
　
前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする
　＜
請求項２を削除
▲２▼訂正事項ｂ
　明細書中、【０００３】を下記の通り訂正する。
　１．特許公報第２列３７行に「ＪＩＣ」とあるを、『
Ｊ
Ｓ
▲３▼訂正事項Ｃ
　明細書中、【０００４】を訂正【０００４】に訂正する。
　訂正【０００４】
　【問題点を解決するための手段】
　本発明は、Ｘ軸基線と該Ｘ軸基線の一端
である原点にその一端が
直角
辺
前記表示エリヤの範囲を区画し、前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする。
▲４▼訂正事項ｄ
　明細書中、【０００７】を訂正【０００７】に訂正する。
　訂正【０００７】
　更に、
図５
１の他端に延長
他端に延長
前記Ｘ軸基線１と前記延長Ｘ軸基線１１および前記Ｙ軸基線２と前記延長Ｙ軸基線１２を二辺として形成される外方直角四辺形において、
内方の直角四辺形における前記Ｘ軸基線１に対向する辺および前記Ｙ軸基線２に対向する辺の二辺と、前記外方直角四辺形の前記Ｘ軸基線１１および前記延長Ｘ軸基線１２に対向する辺と前記Ｙ軸基線１および前記延長Ｙ軸基線１２に対向する辺の二辺とで補助表示エリヤｄの範囲を区画する。
図５を参照して、前記補助表示エリヤｄにおける原点の対角位置に補助マーク５Ａを記録表示する。更に、補助表示エリヤｄに記録表示する補助マーク５として、前記補助マーク５Ａの左側および／または下方に読取方向識別用の補助マーク５Ｂを記録表示する。
　図５に実線表示の補助マーク５Ａを参照して、本願発明は、補助マーク５Ａを、前記原点の対角位置で前記内方直角四辺形の外方に、前記延長Ｘ軸基線１１の長さに近似し且つ前記延長Ｘ軸基線１１と対向する辺と前記延長Ｙ軸基線１２の長さに近似し且つ前記延長Ｙ軸基線１２と対向する辺とを隣接二辺とする直角四辺形状で記録している。従って、図５を参照して、延長Ｘ軸基線１１は補助マーク５ＡのＸ軸方向の長さに、延長Ｙ軸基線１１は補助マーク５ＡのＹ軸方向の長さに、それぞれ近い寸法である。
　図５を参照して、補
助マーク
延長
延長
補助
▲５▼訂正事項ｅ
　明細書中、【００１１】を下記のとおり訂正する。
　訂正【００１１】
　更に、識別コード紙の商品貼付に際し上下左右方向に差異がある場合、識別コード紙を貼付けた商品のセンサーに対する相対移動方向が異なる場合には、コンピューターの画像処理でＸ軸基線１とＹ軸基線２とが連続する原点を基準として表示エリヤｂを回動させメモリ内のＸ軸基線１を識別コード紙のＸ軸基線１と一致させることで対応できる。なお、原点以外でＸ軸基線１とＹ軸基線２とが交差する場合、即ち、Ｔ状交差をエラーとして除外することで、表示エリヤｂ内のＨ（黒着色）の２値信号マークが縦方向または横方向に連続する事により生じる縦線または横線をＹ軸基線２またはＸ軸基線１として誤認することで表示エリヤｂの範囲・位置の誤認エラーを防止すべく、メモリ内で原点以外でＸ軸基線１とＹ軸基線２とが交差する場合はエラーとして除外する。
　実施例においては、
延長
延長
延長
延長Ｙ
助マ
延長
延長
延長
延長
補助マ
延長
延長
助マ
▲６▼訂正事項ｆ
　明細書中、【００１２】を訂正【００１２】に訂正する。
　訂正【００１２】
　以上の理由により、本発明においては、Ｘ軸基線１およびＹ軸基線２を読取ることで、コンピューターで
の
すなわち、Ｘ軸基線１、延長Ｘ軸基線１１、Ｙ軸基線２、延長Ｙ軸基線１２に加えて補助マーク５Ａで表示エリヤｂを包囲したことにより、直角四辺形の表示エリヤｂの各辺および各コーナーは、画像処理の過程において、Ｘ軸基線１、Ｙ軸基線２、補助表示エリヤｄ、Ｘ軸基線１とＹ軸基線２との連続点である原点および原点と対角位置にある補助マーク５Ａの位置・範囲によりコンピューターでの演算処理で特定できること
▲９▼訂正事項ｉ
　明細書中、【００１６】を訂正【００１６】に訂正する。
　訂正【００１６】
　【発明の効果】　　　
　本発明は、
補助表示エリヤｄ内で、Ｘ軸基線１とＹ軸基線２とを連続する原点に対する対角位置かつ表示エリアｂの外方に位置して補助マーク５Ａを設けたことで、Ｘ軸基線１＋延長Ｘ軸基線１１，Ｙ軸基線２＋延長Ｙ軸基線１２による隣接する二辺の特定と補助マーク５Ａにより原点に対する対角位置にある角部の特定で、外方直角四辺形（表示エリヤｂ＋補助表示エリヤｄ）の位置、範囲を検出することができる。即ち、Ｘ軸基線１、Ｙ軸基線２、補助表示エリヤｄにより包囲される直角四辺形（正方形、長方形）である
の存在
および
明
限
、識別コード紙よりの読取データの入力範囲を前記外方直角四辺形（表示エリヤｂ＋補助表示エリヤｄ）に限定することで、より効果的にデータ処理を行いデータ読取処理時間を短縮できる。
更に、外方直角四辺形内の補助表示エリヤｄにおける原点に対する対角位置に形成した所定の辺長さを有する直角四辺形状の補助マーク５Ａにより、補助表示エリヤｄの範囲が特定できるので、外方直角四辺形より補助表示エリヤｄを除外して内方の直角四辺形（表示エリヤｂ）の範囲を正確に特定できる。従って、表示エリヤｂの範囲を正確に検出することで読取りエラー率の低減をはかるとともにコンピューターのメモリ容量を低減できる。
　また、外方直角四辺形（表示エリヤｂ＋補助表示エリヤｄ）の各辺および各コーナーは、Ｘ軸基線１＋延長Ｘ軸基線１１、Ｙ軸基線２＋延長Ｙ軸基線１２、Ｘ軸基線１とＹ軸基線２との連続である原点、および原点に対する対角位置にある補助マーク５Ａにより、それぞれの特徴を検出して画像処理の過程において識別できるので、任意の方向でのセンサーの読取りに対し、より正確、迅速に且つ簡単なマイコン処理で表示エリヤｂの各周辺の位置および上下左右方向を判断でき、識別コード紙の貼付け作業にあたり貼り張付け方向を考慮する必要のない効果がある。
（５４）【発明の名称】
識別コード紙
（５７）【特許請求の範囲】
　四角形状の表示エリヤに、Ｎ個（Ｎ≧８）の単位データエリアを形成し、各単位データエリアに２値信号マークを記録して表示エリヤ全体で２Ｎ個の情報を記録する識別コード紙において、
　Ｘ軸基線と該Ｘ軸基線の一端
である原点にその一端
前記
前記
直角
前記表示エリヤの範囲を区画し、
　
前記表示エリヤの外側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする
【発明の詳細な説明】
　【０００１】
　【産業上の利用分野】
　本発明は、数字・記号・アルファベット・漢字等を示す商品コード又は文字列、さらには文章等を、２進コードで表示した識別コード紙に関するものである。
　【０００２】
　【従来技術】
　この種の２進コードで表示した識別コード紙としては、実開昭５７−１４２６３号「物品識別表示用基布」および特開昭５３−７３０２６号「ファクシミリによる情報入力方法」が公知である。
　前記実開昭５７−１４２６３号の公知技術は、四角形状のコード表示枠（表示エリヤ）を格子状配置の枠線によりマトリクス配置の５×１０＝５０個の記入枠（単位データエリア）を形成して、各記入枠（単位データエリア）に着色マーク（２値信号マーク）を記録して表示エリヤ全体で２５０個の２値信号マークによる２進信号コードを記録することを開示するものである。
　前記特開昭５３−７３０２６号の公知技術は、上記の公知技術と同様に、マトリクス配置のます目（単位データエリア）を選択的に着色（２値信号マークを記録）して２進信号コードを記録することを開示するとともに、２値信号マークを記録した表示エリヤの範囲を検知するための位置マークを用紙の移動方向と直交方向に設けることを開示している。即ち、表示エリヤの前後に位置マークを表示することで表示エリヤの長手方向の範囲を明示することで表示エリヤの範囲を検知する手段を開示している。
　【０００３】
　【従来技術の問題点】
　前者の特開昭５７−１４２６３号の公知技術は、物品識別表示用基布に記録された信号コードの光学的読取りにあたり、四角形状のコード表示枠（表示エリヤ）の位置および範囲を、判読する技術思想は存在しない。後者の特開昭５３−７３０２６号の公知技術は表示エリヤの前後に位置マークを表示することで表示エリヤの長手方向の範囲を明示することで表示エリヤの範囲を検知する手段を開示しているが、表示エリヤの上下方向の範囲を検知するための技術手段
は
　識別コード紙に記録された情報を英数字漢字記号等として判読するにあたっては、ラインセンサー、ＣＣＤカメラにより識別コード紙に記録された２値信号マークを検出しコンピュタによる画像処理およびデータ処理により２進信号コードをＪＩ
Ｓ
　このコンピュタによる画像処理およびデータ処理にあたっては、読取った２値信号マークのデータは必ずコンピュタのメモリー内で処理されるものであり、紙、物品表面等に表示されたデータが直接的にメモリー内に記録されるものではない。そのため次の問題点がある。
▲１▼データ処理のメモリーには、当然ながらメモリーの容量が存在し、人間の目のように不特定広範囲からコードそのものからデータエリヤを限定できない。
▲２▼例えば、線上に直交した座標上に、データ（例えば、２値信号マーク）が印字されていても、読取り方向の差、読取り速度の差（ラインセンサーの移動方向が座標Ｘ軸方向と誤差がある場合、ＣＣＤカメラが識別コード紙の正面対向位置に対し上下左右にずれがある場合、識別コード紙を貼付けた商品表面が曲面である場合、識別コード紙を貼付けた商品とラインセンサーとの相対移動速度が変化する場合等）により、印字されたデータと画像処理されるデータとは必ずしも一致しないことが現実として多い。
　従って、画像処理されるべきエリヤをメモリー上で特定すること、および画像処理される個々のデータエリヤの位置をメモリー内で（印字されている紙の上ではなく）確実に決定できることが、コードの読取りエラー率の改善をはかり、この種の識別コード紙を商品として実用化するための一番重大な課題である。
　【０００４】
　【問題点を解決するための手段】
　本発明は、Ｘ軸基線と該Ｘ軸基線の一端
である原点にその一端
線と
直角
辺
表示エリヤの範囲を区画し、
側で、かつ前記原点の対角位置に所定の辺長さを有する直角四辺形状の補助マークを設けるとともに、前記Ｘ軸基線の他端に前記補助マークの辺に近似する長さの延長Ｘ軸基線を、前記Ｙ軸基線の他端に前記補助マークの辺に近似する長さの延長Ｙ軸基線をそれぞれ付加し、前記補助マークのそれぞれの辺と前記延長Ｘ軸基線および前記延長Ｙ軸基線とによりその範囲が区画される補助表示エリヤを前記表示エリヤに隣接して設けたことを特徴とする。
　【０００５】
　【実施例】
　図面に示す実施例にもとづいて本発明を説明する。
　識別コード紙Ａの適所に、本発明のコード面Ｂを印刷表示するが、印刷方向およびその個数は任意である。また、本発明のコード面Ｂは、Ｘ軸基線１とＹ軸基線２によりその表示エリヤｂの形状、面積は決定される。
　第２図は、種々の表示エリヤｂを示し、少なくとも１６個の単位データエリア（小区分）３が形成可能であれば本発明の目的を達成できる。（ａ）図は一段で１６個を横方向に配置、（ｂ）図は二段で各段に８個を横方向に配置、（ｃ）図は四段で各段に４個を横方向に配置して表示エリヤを正方形とし、（ｄ）図および（ｅ）図は、（ｂ）図および（ａ）図の実施例を９０度転向したものであり表示エリヤを縦長の長方形とするものである。
　【０００６】
　１６個の単位データエリア３について、第３図を参照して、適宜の順序で番地指定し（Ｐ１Ｐ２・・・Ｐ１６）、更に実施例では、４個づつに分割して４グループ（Ｐ１〜Ｐ４，Ｐ５〜Ｐ８，Ｐ９〜Ｐ１２，Ｐ１３〜Ｐ１６）として４個の中データエリヤ４を形成し、各単位データエリア３に２値信号マーク（２進信号）を記録表示することにより２１６（００００〜ＦＦＦＦ）の２進コードを記録表示可能とする。１６個の単位データエリア３を４グループに分割する方法および中データエリヤ４内の配列順序は任意であり、マイコンプリンターの制御で適宜変更することもできる。例えば（Ｐ１，Ｐ６，Ｐ１１，Ｐ１６；Ｐ５，Ｐ１０，Ｐ１５，Ｐ４，Ｐ９，Ｐ１４，Ｐ３，Ｐ８；Ｐ２，Ｐ７，Ｐ１２，　Ｐ１３）（Ｐ１，Ｐ５，Ｐ９，Ｐ１３；Ｐ１４，Ｐ１５，Ｐ１６，Ｐ１２，Ｐ８，Ｐ４，Ｐ３，Ｐ２；Ｐ６，Ｐ１０，Ｐ１１，Ｐ７）（Ｐ１，Ｐ２，Ｐ６，Ｐ５；Ｐ３，Ｐ４，Ｐ８，Ｐ７；Ｐ１１，Ｐ１２，Ｐ１６，Ｐ１５；Ｐ９，Ｐ１０，Ｐ１４，Ｐ１３）等、その他種々の組合わせが考えられる。
　各単位データエリア３に２進信号を記録表示するための２値信号マークｋとしては、第４図の（イ）のごとく単位データエリア３を完全に塗りつぶす必要はなく、（ロ）（ハ）（ニ）のごとく単位データエリア３の一部に空白個所を残して、他のマーク（例えば、ロは丸印，ハは星印，ニは三角形など）としても本発明の目的を達成することができる。またこの単位データエリアの２進信号の信号表示方法としては上述のマーキング方法も限定されるものではなく、穴あきや磁気による記入方法も同様の効果を得られる方法として考えられる。
　【０００７】
　更に、
図５
１の他端に延長
他端に延長
前記Ｘ軸基線１と前記延長Ｘ軸基線１１および前記Ｙ軸基線２と前記延長Ｙ軸基線１２を二辺として形成される外方直角四辺形において、前記Ｘ軸基線と前記Ｙ軸基線を二辺とする内方の直角四辺形における前記Ｘ軸基線１に対向する辺および前記Ｙ軸基線２に対向する辺の二辺と、前記外方直角四辺形の前記Ｘ軸基線１１および前記延長Ｘ軸基線１２に対向する辺と前記Ｙ軸基線１および前記延長Ｙ軸基線１２に対向する辺の二辺とで補助表示エリヤｄの範囲を区画する。
図５を参照して、前記補助表示エリヤｄにおける原点の対角位置に補助マーク５Ａを記録表示する。更に、補助表示エリヤｄに記録表示する補助マーク５として、前記補助マーク５Ａの左側および／または下方に読取方向識別用の補助マーク５Ｂを記録表示する。
　図５に実線表示の補助マーク５Ａを参照して、本願発明は、補助マーク５Ａを、前記原点の対角位置で内方の前記直角四辺形の外方に、前記延長Ｘ軸基線１１の長さに近似し且つ前記延長Ｘ軸基線１１と対向する辺と前記延長Ｙ軸基線１２の長さに近似し且つ前記延長Ｙ軸基線１２と対向する辺とを隣接二辺とする直角四辺形状で記録している。従って、図５を参照して、延長Ｘ軸基線１１は補助マーク５ＡのＸ軸方向の長さに、延長Ｙ軸基線１１は補助マーク５ＡのＹ軸方向の長さに、それそれ近い寸法である。
　図５を参照して、補助マーク５Ａの周囲には空白部が存在することで、補助表示エリヤｄの範囲は、補
助マ
延長
延長
助マ
　【０００８】
　識別コード紙Ａにコード面Ｂを印刷するにあたっては、一般的な印刷手段で印刷することもできるが、現在通常で市販されている１６，２４ドットのパソコンプリンターやハンディコンピュータのプリンターなどを用いてプリントアウトすることもできる。この場合、文字列（商品名、担当部署名、住所氏名、電話番号等）、文章（メッセージ、広告文等）をＪＩＳコードに従って２進信号にパソコン処理で変換し、１文字毎に２１６個の信号コードの１個の表示エリヤｂを対応させることができ、２進コードで表示した表示エリヤｂの隣接個所（例えば、下方）に対応する文字Ｌを表示すると商品名、担当者名等をコード化と同時に漢字表示できて好都合である。（第８図参照）
　【０００９】
　更に、１６個の単位データエリア３の各番地Ｐ１，Ｐ２・・・Ｐ１６の位置指定、中データエリヤ４の各グループＱ１，Ｑ２，Ｑ３，Ｑ４に選択される単位データエリア３の選択指定を、マイコン制御により変更自在とすると（第８図の文字Ｌは削除する）、商品コードへの原価付記、各種カードのパスワードを暗号表示化できて暗号番号化などに利用できて好都合である。
　また、本発明の識別コード紙の読取りにあたっては、線センサーを上下方向または左右方向に移動させて読取り信号をパソコンに送り、パソコンにより、Ｘ軸基線１およびＹ軸基線２を算出して表示エリヤｂを判断し表示エリヤｂ内の各単位データエリア３および各中データエリヤ４の存在位置、それぞれの位置の２値信号マークの存在の有無を画像処理することにより、商品等に付された識別コードを判読することができ、ＪＩＳコードにもとづき所定の漢字をプリントアウトすることもできる。
　識別コード紙のＸ軸基線１およびＹ軸基線２を読取ることで、コンピュターのメモリー内には識別コード紙の表示エリヤｂに一致させた位置・範囲で表示エリヤｂを認識して、表示エリヤｂに表示されている２値信号マークを識別コード紙の所定の単位データエリヤに対応させて検出することができる。
　【００１０】
　即ち、ラインセンサーによる識別コード紙の読取りにあたり、識別コード紙のＸ軸基線１の方向にラインセンサーが移動し識別コード紙の長手方向がラインセンサーの移動方向と一致する場合はコンピュターのメモリー内の表示エリヤｂはそのＸ軸基線は、識別コード紙のＸ軸基線１と一致するものであるが、ラインセンサーが移動方向または識別コード紙の商品貼付位置が上下左右にずれている場合には、メモリ内の表示エリヤｂはそのＸ軸基線を、識別コード紙のＸ軸基線１の方向に一致させるべく画像処理でメモリ内の表示エリヤｂについてＸ軸基線を回動させることで対応できる。また、識別コード紙の移動速度またはラインセンサーの移動速度に変化によるメモリ内の表示エリヤｂのＸ軸方向の長さの変化に対し、メモリ内の表示エリヤｂのＸ軸基線の長さを基準とすることで対応できる。表示エリヤｂのＹ軸基線方向についてもメモリ内の表示エリヤｂについて上述のＸ軸方向の場合と同様に対応する。
　また、ＣＣＤカメラによる識別コード紙の読取りにあたり、ＣＣＤカメラが識別コード紙の正面対向位置に対し上下左右にずれがある場合、識別コード紙を貼付けた商品表面が曲面である場合には、メモリ内の表示エリヤｂのＸ軸基線を識別コード紙のＸ軸基線の方向と一致させるべく、コンピュターの画像処理で表示エリヤｂのＸ軸基線を回動させることで対応する。
　【００１１】
　更に、識別コード紙の商品貼付に際し上下左右方向に差異がある場合、識別コード紙を貼付けた商品のセンサーに対する相対移動方向が異なる場合には、コンピューターの画像処理でＸ軸基線１とＹ軸基線２とが連続する原点を基準として表示エリヤｂを回動させメモリ内のＸ軸基線１を識別コード紙のＸ軸基線１と一致させることで対応できる。なお、原点以外でＸ軸基線１とＹ軸基線２とが交差する場合、即ち、Ｔ状交差をエラーとして除外することで、表示エリヤｂ内のＨ（黒着色）の２値信号マークが縦方向または横方向に連続する事により生じる縦線または横線をＹ軸基線２またはＸ軸基線１として誤認することで表示エリヤｂの範囲・位置の誤認エラーを防止すべく、メモリ内で原点以外でＸ軸基線１とＹ軸基線２とが交差する場合はエラーとして除外する。
　実施例においては、
延長
延長
延長
延長
助マ
延長
延長
延長
延長
画像処理の過程において
補助
現れる
により上記の不一致を認識することができる。すなわち、
延長
延長
助マ
　【００１２】
　以上の理由により、本発明においては、Ｘ軸基線１およびＹ軸基線２を読取ることで、コンピューターで
の
すなわち、Ｘ軸基線１、延長Ｘ軸基線１１、Ｙ軸基線２、延長Ｙ軸基線１２に加えて補助マーク５Ａで表示エリヤｂを包囲したことにより、直角四辺形の表示エリヤｂの各辺および各コーナーは、画像処理の過程において、Ｘ軸基線１、Ｙ軸基線２、補助表示エリヤｄ、Ｘ軸基線１とＹ軸基線２との連続点である原点および原点と対角位置にある補助マーク５Ａの位置・範囲によりコンピューターでの演算処理で特定できること
　【００１３】
　識別コード紙としては、普通紙を使用することができる。即ち、バーコードの場合は線の伸縮により読取り誤差を生じるおそれがあるので高価な特殊用紙を用いる必要があるが、
識別コード紙の場合は
（物理的寸法）
表示エリアの位置・範囲を特定したのちに
の２進信号コード情報
　【００１４】
　本発明は、パソコンプリンター等でも出力可能であり、ハンディコンピュータのプリンタを利用すれば例えばスーパー等で時間制ディスカウントを行った時などのように現場でコード内容を急に変更したい場合
には
　またコンピュータへのデータエントリーにおいて非常に手間がかかる作業（例えば人名、地名、住所等）も、あらかじめこの識別コード紙にそのデータと同じ内容を記入しておけば入力する際に簡単に入力できる（個別にマスター登録を行うことや、ホストコンピュータでデータをサーチする必要もなく、本や印刷物の内容の一部や比較的長い文章などのデータ入力したい場合にキーボードで入力しないで印刷紙から直接入力できる）。また、文章を表現した場合にその文章の中の１文字が１つのコードとなるので同じ字数となり並列で印字することが可能である。
　例えば、第８図を参照して、四個の表示エリヤｂに、“大”“阪”“太”“郎”に対応する　ＪＩＳ漢字コードである“４２６７”“３Ａ６５”“４２４０”“４Ｆ４Ａ”を本発明を適用して２進の信号コードを記録し、その下方に、“大”“阪”“太”“郎”を並列表示する。
　【００１５】
　上記実施例においては、１６個の単位データエリアとする場合について説明したが、単位データエリアを、２０，２４，２８……のごとく４の倍数とし、各中データエリヤについての単位データエリアの個数を５，６，７……とすることができる（なおこの場合、各中データエリアの単位データエリアの個数を４個とし、グループの数を５，６，７……とすることもできる）。
　また単位データエリアの数を１６の整数倍とし、各中データエリヤについての単位データエリアの数を４の整数倍（または、グループの数を４の整数倍）とすることもできる。
　更に、単位データエリアの数Ｎを、ｎｘ（Ｘ軸方向の単位データエリアの数）×ｎｙ（Ｙ軸方向の単位データエリアの数）＝８×８＝２６＝６４個の単位データエリアとすると、１個の識別コードで０００００……ＶＶＶＶＶよりの組合わせで文字を表現でき２６４となり文字種類が増大する。
　更に、単位データエリアの数Ｎ［即ち、ｎｘ（Ｘ軸方向の単位データエリアの数）×ｎｙ（Ｙ軸方向の単位データエリアの数）］を２５＝２５６とすると（第９図参照）、１個の識別コードで表示できる文字種類数が２２５６となり、Ｘ軸方向の単位データエリアの数ｎｘ、Ｙ軸方向の単位データエリアの数ｎｙの増加で、単位データエリアの数Ｎは指数関数的に増加し、１個の識別コードで表示できる文字種類数＝２Ｎもまた指数関数的に増大する。
　【００１６】
　【発明の効果】
　本発明は、
補助表示エリヤｄ内で、Ｘ軸基線１とＹ軸基線２とを連続する原点に対する対角位置かつ表示エリアｂの外方に位置して補助マーク５Ａを設けたことで、Ｘ軸基線１＋延長Ｘ軸基線１１、Ｙ軸基線２＋延長Ｙ軸基線１２による隣接する二辺の特定と補助マーク５Ａにより原点に対する対角位置にある角部の特定で、外方直角四辺形（表示エリヤｂ＋補助表示エリヤｄ）の位置、範囲を検出することができる。即ち、Ｘ軸基線１、Ｙ軸基線２、補助表示エリヤｄにより包囲される直角四辺形（正方形、長方形）である
存在
および
明
限
、識別コード紙よりの読取りデータの入力範囲を前記外方直角四辺形（表示エリヤｂ＋補助表示エリヤｄ）に限定することで、
　
更に、外方直角四辺形内の補助表示エリヤｄにおける原点に対する対角位置に形成した所定の辺長さを有する直角四辺形状の補助マーク５Ａにより、補助表示エリヤｄの範囲が特定できるので、外方直角四辺形より補助表示エリヤｄを除外して内方の直角四辺形（表示エリヤｂ）の範囲を正確に特定できる。従って、
ｂの
　また、外方直角四辺形（表示エリヤｂ＋補助表示エリヤｄ）の各辺および各コーナーは、Ｘ軸基線１＋延長Ｘ軸基線１１、Ｙ軸基線２＋延長Ｙ軸基線１２、Ｘ軸基線１とＹ軸基線２との連続点である原点、および原点に対する対角位置にある補助マーク５Ａにより、それぞれの特徴を検出して画像処理の過程において識別できるので、
【図面の簡単な説明】
　【図１】識別コード紙の平面図。
　【図２】同じく表示エリヤの種々の実施例を示す平面図である。
　【図３】単位データエリアおよび中データエリヤを示す略図。
　【図４】２値信号マークの実施例を示す略図である。
　【図５】本願発明の実施例を示す識別コード紙の平面図である。
　【図６】表示エリヤの他の実施例を示す略図である。
　【図７】２進コードマークの存在する単位データエリアの数、位置と２進コードとの対応関係を示す略図である。
　【図８】文字表示を付設した識別コード紙の平面図である。
　【図９】単位データエリアの数を指数函数的に増大させた実施例を示す略図である。
　　【符号の説明】
　１……Ｘ軸基線
　２……Ｙ軸基線
　３……単位データエリア
　５……補助マーク
５Ａ……補助エリアマーク
５Ｂ……読取方向識別用の補助マーク
１１……延長Ｘ軸基線
１２……延長Ｙ軸基線
　ｂ……表示エリヤ
　ｄ……補助表示エリヤ
　Ｋ……２値信号マーク